(57)【要約】ペンキ用ローラ(１０)は、截頭円錐形の塗布部(１２)と、ペンキ吸収部材(１４)と、可動連結具(１６)とを有する。塗布部(１２)は、連結部(１８)および２つの相対向する端部（２０、２２）を有し、連結部(１８)において回転軸線（２４）周囲で回転可能となっている。端部(２０)は、他端部（２２）の平坦横断面よりも小さい平坦横断面を有する連結端部(２０)である。連結部(１８)は、連結端部(２０)のところに形成され、そこで中央に配置されている。可動連結具(１６)は、回転軸線（２４）周囲で回転できるように連結部(１８)において塗布部(１２)に取り外し自在に連結した回転連結部分（４０）と、塗布部(１２)が回動できるようにハンドル（図示せず）のピボット取付部と協働するようになっている回動連結部分（４２）とを有する。
2005521549.tif 000002
【特許請求の範囲】
【請求項１】
ペンキ塗布用のペンキ用ローラであって、
２つの相対向する端部と、前記相対向する端部の一方の端部に配置された連結部と、前記２つの相対向する端部間にある外表面とを有し、前記連結部に回転軸線周囲で回転可能である截頭円錐形の塗布部と、
前記外面に装着された少なくとも１つのペンキ吸収部材と、
から成るペンキ用ローラ。
【請求項２】
前記ペンキ用ローラは、さらに、前記連結部に取り外し自在に連結した可動連結具を含むことを特徴とする請求項１に記載のペンキ用ローラ。
【請求項３】
前記可動連結具が、前記回転軸線周囲を回転できるように前記連結部と協働するようになっている回転連結部分を含むことを特徴とする請求項２に記載のペンキ用ローラ。
【請求項４】
前記可動連結具が、前記截頭円錐形の塗布部が回動できるようにハンドルのピボット取付部と協働するようになっている回動連結部分を含むことを特徴とする請求項２に記載のペンキ用ローラ。
【請求項５】
前記截頭円錐形の塗布部がペンキを収容するための室を含むことを特徴とする請求項１に記載のペンキ用ローラ。
【請求項６】
前記截頭円錐形の塗布部が、さらに、前記室に通じる少なくとも１つの閉鎖可能な入口を含むことを特徴とする請求項５に記載のペンキ用ローラ。
【請求項７】
前記少なくとも１つの閉鎖可能な入口が、前記相対向する端部のうちの一方の端部に配置されていることを特徴とする請求項６に記載のペンキ用ローラ。
【請求項８】
前記室が、前記少なくとも１つのペンキ吸収部材に連結した少なくとも１つのペンキ透過性部分を含むことを特徴とする請求項５に記載のペンキ用ローラ。
【請求項９】
前記相対向する端部のうちの一方の端部が連結端部であり、該連結端部に前記連結部が形成されていることを特徴とする請求項１に記載のペンキ用ローラ。
【請求項１０】
前記連結端部が、他方の端部の対応する平坦横断面より小さい平坦横断面を有することを特徴とする請求項９に記載のペンキ用ローラ。
【請求項１１】
前記連結部が、前記連結端部の前記平坦横断面の中央に配置されていることを特徴とする請求項１０に記載のペンキ用ローラ。
【請求項１２】
さらに、前記相対向する端部のうちの一方の端部に装着する少なくとも１つの当接部材を含むことを特徴とする請求項１に記載のペンキ用ローラ。
【請求項１３】
ペンキ塗布用のペンキ用ローラであって、
２つの相対向する端部と、これら相対向する端部のうち一方の端部に配置された連結部と、前記２つの相対向する端部間にある外表面とを有し、前記連結部に回転軸線周囲で回転可能である截頭円錐形の塗布部と、
前記外表面に装着される少なくとも１つのペンキ吸収部材と、
ピボット取付部を有するハンドルと、
前記連結部および前記ピボット取付部に取り外し自在に連結された可動連結具と、
から成るペンキ用ローラ。
【請求項１４】
前記可動連結具が、前記回転軸線周囲で前記截頭円錐形の塗布部が回転できるように、前記連結部と協働するようになっている回転連結部分を含むことを特徴とする請求項１３に記載のペンキ用ローラ。
【請求項１５】
前記可動連結具が、前記截頭円錐形の塗布部が回動できるように前記ピボット取付部と協働するようになっている回動連結部分を含むことを特徴とする請求項１３に記載のペンキ用ローラ。
【請求項１６】
前記截頭円錐形の塗布部が、ペンキを収容するための室を含むことを特徴とする請求項１３に記載のペンキ用ローラ。
【請求項１７】
前記截頭円錐形の塗布部が、さらに、前記室に通じる少なくとも１つの閉鎖可能な入口を含むことを特徴とする請求項１６に記載のペンキ用ローラ。
【請求項１８】
前記少なくとも１つの閉鎖可能な入口が、前記相対向する端部のうち一方の端部に配置されていることを特徴とする請求項１７に記載のペンキ用ローラ。
【請求項１９】
前記室が、前記少なくとも１つのペンキ吸収部材に連結する少なくとも１つのペンキ透過性部分を含むことを特徴とする請求項１６に記載のペンキ用ローラ。
【請求項２０】
前記相対向する端部のうちの一方の端部が連結端部であり、前記連結部がこの連結端部に形成されていることを特徴とする請求項１３に記載のペンキ用ローラ。
【請求項２１】
前記連結端部が、他方の端部の対応する平坦横断面より小さい平坦横断面を有することを特徴とする請求項２０に記載のペンキ用ローラ。
【請求項２２】
前記連結部が、前記連結端部の前記平坦横断面の中央に配置されていることを特徴とする請求項２１に記載のペンキ用ローラ。
【請求項２３】
さらに、前記相対向する端部のうちの一方の端部に装着可能な少なくとも１つの当接部材を含むことを特徴とする請求項１３に記載のペンキ用ローラ。
【発明の詳細な説明】
【技術分野】
【０００１】
本発明は、たとえばペンキなどの流体を表面に塗布する装置に関し、更に具体的に言うと、本発明は、表面角隅でペンキを選択的に塗布するためのペンキ用ローラに関する。
【背景技術】
【０００２】
表面にペンキを塗布するためのペンキ用ローラは公知である。一般的には、このようなペンキ用ローラは、ペンキ容器に浸してから、塗装しようとしている表面上を転がすようにするペンキ吸収面を有する。別のタイプのペンキ用ローラでは、透過性表面を有し、この透過性表面を通して、このペンキ用ローラ内部に収容されたペンキが流出して、塗装しようとしている表面に塗布される。
一般的に、既存のペンキ用ローラは、ただ一色のペンキだけを塗る平坦面に対してはうまく作業を行える。しかしながら、このようなペンキ用ローラを用いて、たとえば２枚の壁と壁の間、或いは、壁と天井の間に形成された表面角隅にペンキを塗布するときに問題が生じる。これは、一方の表面に塗りたいペンキを、隣接した表面に塗るとまずい場合があるためである。
【０００３】
上記の問題を軽減する従来技術によるペンキ用ローラが、Burns等に発行された米国特許第５，６２３，７４０号に記載されている。この米国特許では、装置は、隣接面へ塗布されているペンキに対してバリアとして作用する防護用遮蔽版を備えている。この従来技術のペンキ用ローラの遮蔽版状のバリアまたはガードは、ペンキ用ローラに取り外し自在に装着される。しかしながら、遮蔽版状のバリアまたはガードを使用すると、別の問題が生じる。たとえば、ガードは、整合性のために、隣接面と接触させる必要もあり、これが、隣接面のペンキが乾いていなかったり、隣接面が傷つきやすかったりする場合、問題である。その結果、隣接面をガードとの摩擦によって、損傷させる可能性がある。さらに、遮蔽版状のバリアまたはガードは、一般的には、組み立て作業や取り付け作業を必要とする付属品であるため、これがまた従来技術のペンキ用ローラに複雑さを加える。
【特許文献１】米国特許第５，６２３，７４０号
【発明の開示】
【発明が解決しようとする課題】
【０００４】
したがって、表面角隅にペンキを選択的に塗布することができ、組み立てたり取り付けたりしなければならないバリアやガードのような別体の付属品を必要としない、新規なペンキ用ローラに対する要望が存在するのは明らかである。
【課題を解決するための手段】
【０００５】
本発明は、表面角隅にペンキを選択的に塗布するペンキ用ローラを提供しようとしている。
したがって、一実施態様において、本発明は、２つの相対向する端部と、前記相対向する端部の一方の端部に配置された連結部と、前記２つの相対向する端部間にある外表面とを有し、且つ、前記連結部に回転軸線周囲で回転可能である截頭円錐形の塗布部と、前記外面に装着された少なくとも１つのペンキ吸収部材と、から成るペンキ用ローラを提供する。
【０００６】
別の実施態様においては、本発明は、２つの相対向する端部と、これら相対向する端部のうち一方の端部に配置された連結部と、前記２つの相対向する端部間にある外表面とを有し、且つ、前記連結部に回転軸線周囲で回転可能である截頭円錐形の塗布部と、前記外表面に装着される少なくとも１つのペンキ吸収部材と、ピボット取付部を有するハンドルと、前記連結部および前記ピボット取付部に取り外し自在に連結された可動連結具と、から成るペンキ用ローラを提供する。
【発明を実施するための最良の形態】
【０００７】
参照しながら、好ましい実施例によるペンキ用ローラおよび本発明の別の実施例を以下に詳細に説明する。しかし、あまりにも細部にわたることは、本発明を判りにくくするため、細々と説明しない。当業者には、このような細部の説明がなくても、本発明が実施し得ることは明らかであろう。
【０００８】
本発明の実施例には多くの利点がある。実施例の１つの利点は、ペンキ用ローラを使用して表面を塗装する場合、本発明のペンキ用ローラは、ペンキ吸収部材による隣接面との接触を避けることができるか、或いは、少なくとも軽減できる、ということにある。
【０００９】
本発明の実施例の他の利点は、ペンキ用ローラが使用しやすく、バリアまたはガードのような付属品を必要としないということにある。このような付属品がなくても、本発明のペンキ用ローラは、ペンキの乾いていない隣接面との接触の可能性または隣接面に損傷を与える可能性を回避できるか、または、低減できるのである。
【００１０】
本発明の更なる利点は、好ましい実施例のペンキ用ローラが、外部のペンキが入った容器からペンキを直接、ペンキ吸収部材上へ受け入れることができるということにある。別の実施例では、ペンキ用ローラは、ペンキを収容しており、少なくとも１つのペンキ透過性部分を介してペンキ吸収部材に接続されているようになる室を有する。
【実施例１】
【００１１】
次に図１を参照して説明する。ここには、本発明の好ましい実施例によるペンキ用ローラ１０の斜視図が示してある。ペンキ用ローラ１０は、截頭円錐形の塗布部１２と、ペンキ吸収部材１４と可動連結具１６とを含む。
【００１２】
截頭円錐形の塗布部１２は、連結部１８および２つの相対向する端部２０，２２を有し、連結部１８のところで回転軸線２４の周囲に回転可能である。相対向する端部のうちの一方の端部２０は、他方端部２２の平坦な断面よりも小さい平坦断面を有する連結端部２０である。連結部１８は、連結端部２０の平坦な断面の中央に配置されている。
【００１３】
ペンキ吸収部材１４は、２つの相対向する端部２０，２２間で截頭円錐形の塗布部１２の外表面３０に装着されている。この外表面３０は、図２に示されるペンキ用ローラ１０の側面図に示されている。ペンキ吸収部材１４は、発泡材またはスポンジのような材料で形成するとよい。
可動連結具１６は、連結部１８を介して截頭円錐形の塗布部１２に取り外し自在に連結されている。可動連結具１６は、回転連結部分４０および回動連結部分４２から成る。回転連結部分４０は、回転軸線２４周囲で截頭円錐形の塗布部１２が回転できるように、連結部１８と協働するようになっている。また、回動連結部分４２も、截頭円錐形の塗布部１２が回動できるように、ハンドル（図示せず）のピボット取付部と協働するようになっている。
【００１４】
図３は端部２２から見たペンキ用ローラ１０の平面図であり、図４は他端部すなわち連結端部２０からペンキ用ローラ１０の底面図である。これらの図面には、ペンキ吸収部材１４、外表面３０、および可動連結具１６のそれぞれに関する相対的な位置配置が示してある。また更に、これら図面には、２つの相対向する端部２０，２２の平坦断面を示している。
【００１５】
次に図５を参照して、ここには、ペンキ用ローラ１０用のハンドル５０の一部と共に、可動連結具１６が取り外された状態で、ペンキ用ローラ１０の斜視図が示してある。ハンドル５０にはピボット取り付け部５２が形成されていて、可動連結具１６の回動連結部分４２に連結するようになる。回動連結部分４２およびピボット取り付け部５２には、ピボット連結ができるように、それぞれ、孔５４，５６が設けてあり、孔５４ａ、５４ｂとピン（図示せず）を組み合わせることにより、回動連結部分４２がピボット取り付け部５２と協働して、截頭円錐形の塗布部１２が回動できるようになっている。連結部１８にはノブ５８が配置されていて、このノブ５８が可動連結具１６の回転連結部分４０の孔６０に連結する。
【実施例２】
【００１６】
本発明の別の実施例によるペンキ用ローラ７０の斜視図が図６に示してある。ペンキ用ローラ１０と同様の構成要素以外に、ペンキ用ローラ７０は、さらに、ペンキを収容する室７２と、この室７２に通じる閉鎖可能な入口７４と、当接部材７６とを含む。当接部材７６は、端部２２に装着されて、塗装されていない隣接面とペンキ吸収部材１４との接触を軽減するように機能する。
【００１７】
図７を参照すると、ここには、ペンキ用ローラ７０の截頭円錐形の塗布部７８の内部側面図が示してある。截頭円錐形の塗布部７８は、少なくとも１つのペンキ透過性部分８０を含む。この別の実施例では、少なくとも１つのペンキ透過性部分８０には複数個のスリット８２を含んでおり、これらのスリットを通して、ペンキが室７２からペンキ吸収部材１４に供給されるようになる。閉鎖可能な入口７４が端部２２に配置されており、ここにはカバー８４が配置されている。閉鎖可能な入口７４を介して室７２にペンキを注入してから、室７２をカバー８４で閉鎖する。
【００１８】
本発明を図１〜７を参照しながら上記の実施例について詳細に説明してきたが、図１〜７は好ましい実施例を説明するものであって、本発明を限定するものでないことは了解されたい。たとえば、ペンキ透過性部分８０は、図７に示すような向きのスリット８２を有するように説明したが、ペンキ透過性部分８０では、他の形状でも違った方向の形状でも提供され得る。また、閉鎖可能な入口７４を他の部位に設けても、截頭円錐形の塗布部７８の運動を制限または限定することはない。さらに、連結部１８と可動連結具１６との間の連結もまた、ここで図示して説明してきた実施例に示していない別の方法で行ってもよい。したがって、当業者であれば、本発明の意図および範囲から逸脱することなくさまざまな変更、改良をなすことができる。
【図面の簡単な説明】
【００１９】
【図１】截頭円錐形の塗布部と可動連結具とを含む本発明のペンキ用ローラの好ましい実施例によるペンキ用ローラの斜視図である。
【図２】図１のペンキ用ローラの側面図である。
【図３】截頭円錐形の塗布部の相対向する端部の一方の端部から見た図１のペンキ用ローラの平面図である。
【図４】截頭円錐形の塗布部の相対向する端部の他方の端部から見た図１のペンキ用ローラの底面図である。
【図５】図１のペンキ用ローラの分解斜視図であり、可動連結具もペンキ用ローラ用のハンドルも分離した状態で示してある。
【図６】本発明の別の実施例によるペンキ用ローラの斜視図である。
【図７】図６のペンキ用ローラの截頭円錐形塗布部の側面図である。
【図１】
2005521549.tif 000003
【図２】
2005521549.tif 000004
【図３】
2005521549.tif 000005
【図４】
2005521549.tif 000006
【図５】
2005521549.tif 000007
【図６】
2005521549.tif 000008
【図７】
2005521549.tif 000009
【国際調査報告】
2005521549.tif 000010
2005521549.tif 000011
2005521549.tif 000012